(57)【要約】      （修正有）【課題】視覚障害者が容易かつ迅速確実に目的階の登録を行うことが可能であるエレベーターの操作盤を得る。【解決手段】正面にかご出入口２を有するかご室１と、前記かご出入口を開閉するかご戸と、前記かご室の内壁に設置された健常者用操作盤と、前記かご出入口の側縁を形成する側壁面に設置された、前記健常者用操作盤とは別体の視覚障害者用操作盤８と、前記かご出入口近傍の乗客を検知する乗客検知手段１１と、前記乗客検知手段が前記かご出入口近傍に乗客を検知している間は、前記かご戸の戸閉を抑制する制御手段と、を備えた構成とする。【選択図】図１
2008280174.tif 000002
【特許請求の範囲】
【請求項１】
正面にかご出入口を有するかご室と、
前記かご出入口を開閉するかご戸と、
前記かご室の内壁に設置された健常者用操作盤と、
前記かご出入口の側縁を形成する側壁面に設置された、前記健常者用操作盤とは別体の視覚障害者用操作盤と、
前記かご出入口近傍の乗客を検知する乗客検知手段と、
前記乗客検知手段が前記かご出入口近傍に乗客を検知している間は、前記かご戸の戸閉を抑制する制御手段と、を備えたことを特徴とするエレベーターの操作盤。
【請求項２】
前記かご出入口の両側に立設された出入口柱を備え、
前記かご出入口の側縁を形成する前記側壁面は、前記出入口柱の前記かご出入口に面した側面であることを特徴とする請求項１に記載のエレベーターの操作盤。
【請求項３】
乗降階に設けられた乗場と、
前記乗場の、前記かご室が前記乗降階に着床した際に前記かご出入口と対向する位置に設けられた乗場出入口と、
前記乗場出入口を開閉する乗場戸と、
前記乗場出入口の両側方及び上方を囲むようにして配設された乗場三方枠と、
前記乗場三方枠の前記乗場出入口に面した側面から乗場ホールに面した面に亘って、前記視覚障害者用操作盤と同じ高さの位置になるように配設された乗場側案内突起と、を備え、
前記制御手段は、前記乗客検知手段が前記かご出入口近傍に乗客を検知している間は前記かご戸及び前記乗場戸の戸閉を抑制することを特徴とする請求項１又は請求項２のいずれかに記載のエレベーターの操作盤。
【請求項４】
前記視覚障害者用操作盤の前記かご出入口開口部側に隣接して並設されたかご側案内突起を備えたことを特徴とする請求項３に記載のエレベーターの操作盤。
【請求項５】
前記乗場側案内突起の前記乗場出入口開口部側端部に上下方向の高さが高く形成されて設けられた拡大端部を備えたことを特徴とする請求項３又は請求項４のいずれかに記載のエレベーターの操作盤。
【請求項６】
前記視覚障害者用操作盤は、
押下回数に応じて基準階より上方の階床を目的階として登録する上方階入力ボタンと、
押下回数に応じて基準階より下方の階床を目的階として登録する下方階入力ボタンと、を備えたことを特徴とする請求項１から請求項５のいずれかに記載のエレベーターの操作盤。
【請求項７】
前記視覚障害者用操作盤は、押下すると今までのボタン操作をキャンセルする機能を有するキャンセルボタンを備えたことを特徴とする請求項６に記載のエレベーターの操作盤。
【請求項８】
前記乗客検知手段は、前記出入口柱の前記かご出入口開口部側端の上下方向に亘って設けられた感知センサを備えたことを特徴とする請求項１から請求項７のいずれかに記載のエレベーターの操作盤。
【請求項９】
前記乗客検知手段は、前記視覚障害者用操作盤の有する各操作ボタン又は前記かご側案内突起に設けられた、利用者の接触を検知するマイクロスイッチを備えたことを特徴とする請求項１から請求項８のいずれかに記載のエレベーターの操作盤。
【発明の詳細な説明】
【技術分野】
【０００１】
この発明は、エレベーターの操作盤に関するものである。
【背景技術】
【０００２】
従来におけるエレベーターの操作盤においては、視覚障害者用の操作盤であって、階床ボタンの近傍に各階床を示す点字プレートを並設したものが周知である。
そして、かご室を構成している袖壁と、この袖壁に設けられ基準階ボタンを含むかご操作盤の行先階ボタンと、この行先階ボタンのうちで基準階ボタンを案内誘導するためにこの基準階ボタンに隣接して形成された案内突起と、を備えたもの（例えば、特許文献１参照）や、健常者用の操作盤と隣接して設けられた視覚障害者用の操作盤であって、基準階より上方側の行先階を押下回数で入力するための上方側階入力ボタンと基準階より下方側の行先階を押下回数で入力するための下方階側入力ボタンと入力した行先階を登録するために押下する確認ボタンとを有する視覚障害者用操作盤と、駆動されると登録された行先階を表すために鳴る電子ブザーと、上方階側入力ボタン又は下方階側入力ボタンからの信号と確認ボタンからの信号とが入力するとかご制御盤へ行先階の登録の指令を出力し、また電子ブザーに駆動信号を出力して登録した行先階を表すために鳴らすようにした制御部と、を備えたもの（例えば、特許文献２参照）も知られている。
また、エレベーターの乗場扉の近傍に視覚障害者用と視覚正常者用の乗場呼びボタンを設けたエレベーターについて、乗場扉の前に利用客が接近したことを検知する検知装置と、この検知装置が応答したとき利用客を乗場呼びボタンまで誘導する案内放送を行うスピーカーを乗場扉の近傍に設けたものも知られている（例えば、特許文献３参照）。
【０００３】
【特許文献１】特開平１１−２７８７６３号公報
【特許文献２】特開平１１−２７８７６４号公報
【特許文献３】実開昭６３−１６７４５６号公報
【発明の開示】
【発明が解決しようとする課題】
【０００４】
しかしながら、視覚障害者用の操作盤であって階床ボタンの近傍に各階床を示す点字プレートを並設した従来におけるエレベーターの操作盤においては、視覚障害者は、点字プレートを手で触りながら目的階の階床ボタンを探り当てて目的階を登録しなければならないため、目的階の登録が非常に困難で、また、その登録に時間を要するという課題がある。
そして、特許文献１及び特許文献２に示された従来におけるエレベーターの操作盤においては、健常者用の操作盤と視覚障害者用の操作盤とが、共用され又は近接して設けられているために、視覚障害者が誤って健常者用操作盤のボタンに触れてしまうおそれがあるという課題や、健常者用操作盤の前に他の利用者がいる場合には、ボタンを操作しようとした視覚障害者が他の利用者に意図せず接触してしまうおそれがあるという課題がある。さらには、前述のようにして、誤った目的階が登録されてしまった場合に、視覚障害者自身による修正が非常に困難であるという課題も考えられる。
また、特許文献３に示された従来におけるエレベーターの操作盤においては、前述のような事情に関し考慮がなされておらず、前述同様の課題が内在しているといえる。
【０００５】
この発明は、前述のような課題を解決するためになされたもので、視覚障害者が容易かつ迅速確実に目的階の登録を行うことが可能なエレベーターの操作盤を得るものである。
【課題を解決するための手段】
【０００６】
この発明に係る、エレベーターの操作盤においては、正面にかご出入口を有するかご室と、前記かご出入口を開閉するかご戸と、前記かご室の内壁に設置された健常者用操作盤と、前記かご出入口の側縁を形成する側壁面に設置された、前記健常者用操作盤とは別体の視覚障害者用操作盤と、前記かご出入口近傍の乗客を検知する乗客検知手段と、前記乗客検知手段が前記かご出入口近傍に乗客を検知している間は、前記かご戸の戸閉を抑制する制御手段と、を備えた構成とする。
【発明の効果】
【０００７】
この発明はエレベーターの操作盤に関し、正面にかご出入口を有するかご室と、前記かご出入口を開閉するかご戸と、前記かご室の内壁に設置された健常者用操作盤と、前記かご出入口の側縁を形成する側壁面に設置された、前記健常者用操作盤とは別体の視覚障害者用操作盤と、前記かご出入口近傍の乗客を検知する乗客検知手段と、前記乗客検知手段が前記かご出入口近傍に乗客を検知している間は、前記かご戸の戸閉を抑制する制御手段と、を備えた構成としたことで、視覚障害者が容易かつ迅速確実に目的階の登録を行うことが可能であるという効果を奏する。
【発明を実施するための最良の形態】
【０００８】
実施の形態１．
図１は、この発明の実施の形態１を示すエレベーターの乗場及びかご室の斜視図である。
図において１はエレベーターのかご室であり、その正面には開閉するかご戸（図示せず）を備えた、かご出入口２が設けられている。このかご出入口２の下縁部にはかご敷居３が設けられており、前記かご出入口２の両側には、前記かご出入口２の両側縁部を形成する出入口柱４がそれぞれ立設されている。
５は乗降階に設けられた乗場であり、この乗場５の、前記かご室１が前記乗降階に着床した際に前記かご戸と対向する位置には、前記乗場５の乗場出入口を開閉する図示しない乗場戸が設けられている。そして、前記乗場出入口の両側方及び上方を囲むようにして乗場三方枠６が配設されている。
また、前記かご室１の袖壁には、目的階入力ボタン等を備えた健常者用操作盤（図示せず）が設置されている。
【０００９】
前記出入口柱４の前記かご出入口２に面した側面には、押下回数に応じて基準階より上方の階床を目的階として登録する上方階入力ボタン７ａ及び押下回数に応じて基準階より下方の階床を目的階として登録する下方階入力ボタン７ｂを備えた視覚障害者用操作盤８が設置されており、この視覚障害者用操作盤８の前記かご出入口２開口部側に隣接して縦棒状のかご側案内突起９が並設されている。
そして、前記乗場三方枠６の出入口に面した側面から乗場ホールに面した面に亘っては、前記視覚障害者用操作盤８及び前記かご側案内突起９と同じ高さの位置になるように配置された乗場側案内突起１０が設けられており、この乗場側案内突起１０の出入口開口部側端部はＴ字状に形成されて、Ｔ字状端部１０ａが設けられている。
また、前記出入口柱４の前記かご出入口２開口部側端の上下方向に亘っては、感知センサ１１が備えられ、この感知センサ１１が前記かご敷居３近傍に物体の存在を検出している間は、前記かご戸及び前記乗場戸の戸閉が行われないように構成されている。
【００１０】
視覚障害者である利用者が前記かご室１に搭乗する際、まず前記乗場三方枠６に設置された前記乗場側案内突起１０に触れながら、前記かご出入口２手前まで移動する。ここで、視覚障害者の手が前記Ｔ字状端部１０ａに触れることにより、開口部の存在に対し注意を促すことができる。なお、前記Ｔ字状端部１０ａは、例えば、Ｌ字状や円形状といった、開口部の存在に対し注意喚起することが可能であるように、上下方向の高さが高く形成されて設けられた拡大端部とすることもできる。
そして、利用者が前記かご出入口２へと進んだ際には、前記乗場側案内突起１０を辿った利用者の手は、前記乗場側案内突起１０と同じ高さに配置された前記かご側案内突起９を経由して、前記かご側案内突起９に隣接する前記視覚障害者用操作盤８へと誘導される。
利用者は、この前記視覚障害者用操作盤８を確認した後、前記上方階入力ボタン７ａ又は前記下方階入力ボタン７ｂを目的階の数字が表す回数だけ押下することにより、目的階を登録する。この際、ボタン押下毎に、現在までのボタン押下回数に応じた階床数を図示しない音声装置により音声で通知するよう構成してもよい。
なお、利用者が前記視覚障害者用操作盤８操作中は、前記感知センサ１１が利用者を検知し、前記かご戸及び前記乗場戸の戸閉動作は抑制される。そして、利用者が操作を終え、前記感知センサ１１の検知範囲を逸脱して前記かご室１内の安全な位置まで移動した後、前記かご戸及び前記乗場戸が戸閉する。
【００１１】
以上のように構成されたエレベーターの操作盤においては、視覚障害者用操作盤をかご出入口近傍に設置するとともに、乗場からこの視覚障害者用操作盤へと案内突起を設けたことにより、視覚障害者の手をスムーズに操作盤へと誘導することができ、視覚障害者が容易かつ迅速確実に目的階の登録を行うことが可能である。
加えて、健常者用操作盤と視覚障害者用操作盤とが、互いに離れた位置に設けられているために、視覚障害者が誤って健常者用操作盤のボタンに触れてしまうおそれがなく、また、健常者用操作盤の前に他の利用者がいる場合においても、ボタンを操作しようとした視覚障害者が他の利用者に意図せず接触してしまうおそれがない。
【００１２】
実施の形態２．
図２は、この発明の実施の形態１を示すエレベーターの乗場及びかご室の斜視図である。図２において、図１と同符号は同一部分又は相当部分を示しており、説明を省略する。
ここで説明する実施の形態２は、実施の形態１における前記視覚障害者用操作盤８にキャンセルボタン７ｃを追加したものである。すなわち、前記視覚障害者用操作盤８内に上下に並んで配置された前記上方階入力ボタン７ａ及び前記下方階入力ボタン７ｂの横に隣接して前記キャンセルボタン７ｃが設置されている。
前記上方階入力ボタン７ａ又は前記下方階入力ボタン７ｂを誤って操作してしまった場合に前記キャンセルボタン７ｃを押下すると、今までのボタン操作がキャンセルされ、利用者は改めて正しくボタンを操作し直すことができる。
【００１３】
以上のように構成されたエレベーターの操作盤においては、実施の形態１と同様の効果を奏することができることに加えて、利用者は、より安心して目的階の登録を行うことができる。
【００１４】
実施の形態３．
ここで説明する実施の形態３は、実施の形態１又は実施の形態２における前記感知センサ１１に代えて、又は追加して、前記視覚障害者用操作盤８等に利用者の接触を検知するマイクロスイッチを用いるようにしたものである。
すなわち、前記視覚障害者用操作盤８若しくは前記上方階入力ボタン７ａ及び前記下方階入力ボタン７ｂ又は前記かご側案内突起９には、利用者の接触を検知する図示しないマイクロスイッチが設置されており、このマイクロスイッチが利用者の接触を検出している間は、前記かご戸及び前記乗場戸の戸閉が行われないように構成されている。
【００１５】
以上のように構成されたエレベーターの操作盤においても、実施の形態１又は実施の形態２と同様の効果を奏することができるのに加えて、特に、感知センサに追加してマイクロスイッチも設けた場合においては、不測の事態により、感知センサがかご敷居近傍の物体を検出できなくなった際や、逆に、マイクロスイッチが利用者の接触を検出できなくなった際にあっても、より確実な戸閉動作制御を行うことが可能である。
【図面の簡単な説明】
【００１６】
【図１】この発明の実施の形態１におけるエレベーターの乗場及びかご室の斜視図である。
【図２】この発明の実施の形態２におけるエレベーターの乗場及びかご室の斜視図である。
【符号の説明】
【００１７】
１    かご室
２    かご出入口
３    かご敷居
４    出入口柱
５    乗場
６    乗場三方枠
７ａ  上方階入力ボタン
７ｂ  下方階入力ボタン
７ｃ  キャンセルボタン
８    視覚障害者用操作盤
９    かご側案内突起
１０    乗場側案内突起
１０ａ  Ｔ字状端部
１１    感知センサ
【図１】
2008280174.tif 000003
【図２】
2008280174.tif 000004